(57)【要約】【課題】リボン工法であってもエアの混入を効果的に防止する。【解決手段】ドラム２と、ドラム２に対してストリップゴム４を供給する押出機３と、押出機３から押し出されたストリップゴム４をドラム２に対して押し付ける圧着ローラ５と、回転軸１１ａを中心として回転可能で、外周面に軸心方向に延びる複数の突条１３を形成してなるローラ１２を有し、圧着ローラ５によりドラム２側に圧着されたストリップゴム４に突条１３を圧接させるステッチャー６と、を備える。【選択図】図１
2018103521.tif 000002
【特許請求の範囲】
【請求項１】
ストリップゴムを螺旋状に巻き付けてゴム部材を形成するストリップゴムの貼付方法であって、
前記ストリップゴムを、貼付方向に沿って所定間隔で圧接しながら巻き付けることを特徴とするストリップゴムの貼付方法。
【請求項２】
前記ストリップゴムへの圧接は、回転軸を中心として回転可能で、外周面に軸心方向に延びる複数の突条を形成してなるローラを使用することを特徴とする請求項１に記載のストリップゴムの貼付方法。
【請求項３】
ドラムと、
前記ドラムに対してストリップゴムを供給する押出機と、
前記押出機から押し出されたストリップゴムを前記ドラムに対して押し付ける圧着ローラと、
回転軸を中心として回転可能で、外周面に軸心方向に延びる複数の突条を形成してなるローラを有し、前記圧着ローラにより前記ドラム側に圧着されたストリップゴムに前記突条を圧接させるステッチャーと、
を備えたことを特徴とするストリップゴムの貼付装置。
【発明の詳細な説明】
【技術分野】
【０００１】
本発明は、ストリップゴムの貼付方法及び装置に関するものである。
【背景技術】
【０００２】
従来、ドラムに対してストリップゴムを螺旋状に巻回して環状のゴム材料を形成するようにしたものが公知である（例えば、特許文献１参照）。
【０００３】
しかしながら、前記従来の方法では、ストリップゴムを巻回する際、ストリップゴム間にエアが混入することを防止するために、貼付位置の近傍で冷却する必要がある等、製法が複雑化する。
【先行技術文献】
【特許文献】
【０００４】
【特許文献１】特開２０１５−１００９２５号公報
【発明の概要】
【発明が解決しようとする課題】
【０００５】
本発明は、リボン工法であってもエアの混入を効果的に防止することのできるストリップゴムの貼付方法及び装置を提供することを課題とする。
【課題を解決するための手段】
【０００６】
本発明は、前記課題を解決するための手段として、
ストリップゴムを螺旋状に巻き付けてゴム部材を形成するストリップゴムの貼付方法であって、
前記ストリップゴムを、貼付方向に沿って所定間隔で圧接しながら巻き付けることを特徴とするストリップゴムの貼付方法を提供する。
【０００７】
前記ストリップゴムへの圧接は、回転軸を中心として回転可能で、外周面に軸心方向に延びる複数の突条を形成してなるローラを使用すればよい。
【０００８】
本発明は、前記課題を解決するための手段として、
ドラムと、
前記ドラムに対してストリップゴムを供給する押出機と、
前記押出機から押し出されたストリップゴムを前記ドラムに対して押し付ける圧着ローラと、
回転軸を中心として回転可能で、外周面に軸心方向に延びる複数の突条を形成してなるローラを有し、前記圧着ローラにより前記ドラム側に圧着されたストリップゴムに前記突条を圧接させるステッチャーと、
を備えたことを特徴とするストリップゴムの貼付装置を提供する。
【発明の効果】
【０００９】
本発明によれば、巻き付けたストリップゴムを所定間隔で圧接するようにしているので、空気が残留することを抑制でき、たとえ残留したとしても分散可能となる。
【図面の簡単な説明】
【００１０】
【図１】本実施形態に係るストリップゴムの貼付装置の概略図である。
【図２】図１のギザローラの正面図である。
【図３】図１の貼付装置で形成されたグリーンタイヤを加硫成型することにより得られる空気入りタイヤの子午線半断面図である。
【発明を実施するための形態】
【００１１】
以下、本発明に係る実施形態を添付図面に従って説明する。なお、以下の説明は、本質的に例示に過ぎず、本発明、その適用物、あるいは、その用途を制限することを意図するものではない。また、図面は模式的なものであり、各寸法の比率等は現実のものとは相違している。
【００１２】
図１は、本実施形態に係るストリップゴム４の貼付装置１を示す。この貼付装置１は、回転駆動させたドラム２に対し、押出機３から押し出したストリップゴム４を供給し、ドラム２の外周面にストリップゴム４を螺旋状に巻回するようにしたものである。押出機３から押し出したストリップゴム４は、圧着ローラ５によってドラム２の外周面に押し付けられ、ステッチャー６によってエア抜きされる。
【００１３】
ドラム２は円筒状で、その外周面でのストリップゴム４の貼付が一定速度で行えるように、図１中、矢印で示す反時計回り方向に回転駆動される。
【００１４】
押出機３は、加熱したストリップゴム４を、口金７を介して押し出すように構成されている。ここでは、加熱温度を、ストリップゴム４が加硫されて物性が変化しない１２０℃以下の値としている。口金７の開口部分は、ストリップゴム４の横断面矩形状に合わせて三角形状に形成されている。
【００１５】
ストリップゴム４は横断面三角形の扁平状で、押出機３から押し出されて、底面と２つの斜面（第１斜面及び第２斜面）とで構成される帯状となる。
【００１６】
圧着ローラ５は、シリンダ８から伸縮可能に突出するロッド９の先端部分に回転可能に取り付けられている。圧着ローラ５は、その回転軸がドラム２の回転中心と平行な状態を維持するようにしてドラム２に対して接離する。
【００１７】
ステッチャー６は、シリンダ１０から進退可能に突出するロッド１１の先端に回転可能に取り付けられる歯車状のローラ（以下、ギザローラ１２と記載する。）を備える。ギザローラ１２は、図２に示すように、ロッド１１の先端の回転軸１１ａを中心として、軸心方向に若干の隙間を有して配置される一対で構成されている。但し、ギザローラ１２は一体物の１つで構成してもよい。また、ギザローラ１２の外周面には、軸心方向に沿う突条１３が周方向に所定間隔で全周に亘って並設されている。各突条１３の横断面は三角形状となっている。但し、最も突出した部分は鋭角ではなく、平坦面又は湾曲面で構成されている。ギザローラ１２の外周面の形状は、ローレット加工や溝加工によって形成すればよい。
【００１８】
図１に戻って、ドラム２は支持台２０に支持されている。支持台２０は、図示しない駆動手段によって、ドラム２の軸心方向に往復移動可能となっている。支持台２０の移動速度は調整可能である。ここでは、ストリップゴム４の送りピッチを、ストリップゴム４の幅寸法の半分の値の半ピッチに設定できるようになっている。
【００１９】
前記構成の貼付装置１は、次のようにして使用する。
【００２０】
押出機３からドラム２へとストリップゴム４を供給する。ドラム２の外周面には、先にインナーライナー１４、ベルト層１５、補強層１６となる部分を形成してあり（以下、この部分をゴム部材と記載する。）、このゴム部材の表面にベース層１７及びキャップ層１８となる部分を形成するためにストリップゴム４を供給する（参考として、図３に空気入りタイヤの子午線半断面図を示す。）。ベース層１７とキャップ層１８とで使用するストリップゴム４を変更する。ベース層１７では、接着性に優れ、基材に天然ゴムや合成ゴムを使用した架橋ゴムを使用している。キャップ層１８では、耐摩耗性、耐熱性、グリップ性及び低燃費性に優れた架橋ゴムを使用している。
【００２１】
ドラム２へと供給したストリップゴム４は、圧着ローラ５によってゴム部材に貼り付けながら巻き付ける。このとき、支持台２０は移動させず、１周分ストリップゴムを巻き付ける。これにより、ストリップゴム４の底面がゴム部材の外周面に貼り付けられる。
【００２２】
２周目からは支持台２０をドラム２の軸心方向に一定速度で移動させ、ストリップゴム４を軸心方向に半ピッチ送りとする。これにより、ストリップゴム４の先に巻き付けた部分（先巻回部）の第２傾斜面に対して、後に巻き付ける部分（後巻回部）の底面の半分（第１半部）が重なり、底面の残る半分（第２半部）はゴム部材に巻き付けられる。以下同様にして、支持台２０を移動させ、ドラム２の一端側から他端側へとストリップゴム４を半ピッチ送りで巻き付ける。
【００２３】
このようにしてベース層１７となる部分が形成されれば、続いてストリップゴム４を変更し、ベース層１７の場合と同様にして巻回することによりキャップ層１８となる部分を形成する。また、サイドウォール１９となる部分をも形成することによりグリーンタイヤが得られる。そして、得られたグリーンタイヤを加硫成型することにより空気入りタイヤが完成する。
【００２４】
キャップ層１８となる部分を形成する一連のストリップゴム４の貼付作業では、順次貼り付けるストリップゴム４に対してステッチャー６のギザローラ１２を圧接させる。
【００２５】
ギザローラ１２は、ドラム２の回転により周方向に移動するストリップゴム４に対し、それ自身回転しながら順次、各突条１３を圧接させる。これにより、ストリップゴム４の表面には突条１３に押圧されることによる溝が形成される。このとき、ゴム部材と巻き付けたストリップゴム４との間の空気が強制的に排出される。また、たとえ残留したとしても分散され、１箇所に偏ることがない。
【００２６】
このように、前記構成の貼付装置１によりストリップゴム４を貼り付けてキャップ層１８となる部分を形成することにより次のような効果を奏する。
（１）外周面に突条１３を備えたギザローラ１２でストリップゴム４を押圧するだけでよいので、簡単かつ安価に空気の混入を防止できる。
（２）ギザローラ１２は、圧着ローラ５で貼り付けた直後のストリップゴム４に圧接させているので、空気の排出をより効果的に行うことができる。
【００２７】
なお、本発明は、前記実施形態に記載された構成に限定されるものではなく、種々の変更が可能である。
【００２８】
前記実施形態では、ストリップゴム４の横断面形状を三角形としたが、矩形状等、他の形状とするようにしてもよい。
【００２９】
前記実施形態では、ギザローラ１２によってキャップ層１８を形成する場合にストリップゴム４に溝を形成するようにしたが、ベース層１７を形成する場合であっても同様に、ギザローラ１２を押し付けるようにするのが好ましい。
【００３０】
前記実施形態では、ギザローラ１２の突条１３の横断面形状を三角形状としたが、矩形状等、種々の形態とできる。また、突条１３は軸心方向に沿って平行に延びるものだけでなく、傾斜したり、あるいは、交差したりするように形成することも可能である。
【００３１】
前記実施形態では、ベース層１７及びキャップ層１８を形成する際にギザローラ１２を使用してエアの残留を抑制及び分散させるようにしたが、サイドウォールを形成する場合であっても、この方法を同様に採用できる。
【符号の説明】
【００３２】
１…貼付装置
２…ドラム
３…押出機
４…ストリップゴム
５…圧着ローラ
６…ステッチャー
７…口金
８…シリンダ
９…ロッド
１０…シリンダ
１１…ロッド
１２…ギザローラ
１３…突条
１４…インナーライナー
１５…ベルト層
１６…補強層
１７…ベース層
１８…キャップ層
１９…サイドウォール
２０…支持台
【図１】
2018103521.tif 000003
【図２】
2018103521.tif 000004
【図３】
2018103521.tif 000005